(57)【要約】【課題】暗証番号入力時にのぞき見されても、暗証番号を他人に知られない暗証番号入力装置を提供することを目的とする。【解決手段】暗証番号として用いることができる情報や暗証番号と無関係な情報を利用者に表示する表示部と、利用者が表示された暗証番号として用いることができる情報の中から所望のものを入力できる入力部と、利用者の動作により表示部の表示を暗証番号として用いることができる情報と暗証番号と無関係な情報とを切り替えることができる表示切替部と、これらを制御する制御部とを設け、この制御部には、利用者の表示切替部への動作の有無により表示部の表示を切り替えて表示する表示手段と、その表示切替手段と、表示を切り替え暗証番号として用いることができる情報が表示されるたびにその情報の配置を変える配置変更手段と、暗証番号と無関係な情報が表示されている状態で入力部への入力を可能とする入力手段とを設ける。【選択図】図２
2018165971.tif 000002
【特許請求の範囲】
【請求項１】
暗証番号として用いることができる情報や暗証番号と無関係な情報を利用者に表示する表示部と、利用者が表示された暗証番号として用いることができる情報の中から所望のものを入力できる入力部と、利用者の動作により表示部の表示を暗証番号として用いることができる情報と暗証番号と無関係な情報とを切り替えることができる表示切替部と、これらを制御する制御部とを備え、前記制御部は、利用者の表示切替部への動作の有無により表示部の表示を切り替えて表示させる表示手段と、その表示切替手段と、表示を切り替え暗証番号として用いることができる情報が表示されるたびにその情報の配置を変える配置変更手段と、暗証番号と無関係な情報が表示されている状態で入力部への入力を可能とする入力手段とを設けたことを特徴とする暗証番号入力装置。
【請求項２】
暗証番号として用いることができる情報や暗証番号と無関係な情報を利用者に表示する表示部と、利用者が表示された暗証番号として用いることができる情報の中から所望のものを入力できる入力部と、利用者の動作により表示部の表示を暗証番号として用いることができる情報と暗証番号と無関係な情報とを切り替えることができる表示切替部と、これらを制御する制御部とを備えた暗証番号入力装置を用いて暗証番号を入力する暗証番号入力方法において、前記表示部に暗証番号として用いることができる情報を表示させる工程と、暗証番号に用いる数字の配置を確認する工程と、暗証番号と無関係な情報を表示する工程と、その状態で暗証番号を入力する工程とを備えたことを特徴とする暗証番号入力方法。
【発明の詳細な説明】
【技術分野】
【０００１】
本発明は、各種取引において本人確認に用いられる暗証番号の入力装置に関するものであり、特に暗証番号を入力する際ののぞき見等により暗証番号が他人に漏洩するのを防止するための装置及び入力方法に関するものである。
【背景技術】
【０００２】
本人を確認するために従来から暗証番号入力装置が用いられている。例えば、マンション等の入退出端末や金融機関に設置される現金自動預払機（ＡＴＭ）で利用されている。暗証番号入力装置では、利用者用のディスプレイの横にボタンのテンキーを配置したり、ディスプレイをタッチパネル式にしてその中にテンキーを配置したりして利用されている。これらのテンキーには各々０から９の数字が割り当てられており、暗証番号の入力を求められた利用者は、このテンキーを押下して必要な桁数（例えば４桁）の数字を入力する。これにより、例えば４桁の数字『０１２３』が暗証番号として入力される。
【０００３】
この暗証番号入力装置に関しては、セキュリティ性を確保できるようにすることが重要な課題であり、これまで種々の方法が提案されている。例えば、暗証番号入力の際に、他人に横から指の位置をのぞき見されても入力した数字が分からないように、特許文献１のような構成が提案されている。
【０００４】
特許文献１では、利用者用の表示装置に表示された情報の中から、所望の数字を選択する装置となっており、表示部に表示される情報は、制御部により、複数桁に分け時間によって表示を変化させる構成となっている。利用者の停止操作により表示変化を停止させ、選択する数字を決定する。決定された数字は所定時間表示後、例えば、暗証番号として無意味な記号等の情報を表示するようになっている。
【０００５】
これにより、どのような組み合わせの暗証番号でも、入力の際には停止操作のみであり、指の位置をのぞき見されても入力した数字はわからなくなっている。したがって、のぞき見により他人に暗証番号を知られることもなく暗証番号入力のセキュリティ性を高めている。
【先行技術文献】
【特許文献】
【０００６】
【特許文献１】特開２００６−２７０７９０号
【発明の概要】
【発明が解決しようとする課題】
【０００７】
しかしながら、上記のように、複数桁を時間によって表示変化させ、所望の数字を選択する場合、利用者の操作としては停止操作という決まったもののみとなるが、停止操作時には数字が見えていることになる。決定された数字は所定時間表示され、その後無意味な情報の表示に切り替わるが、数字を決定してから切り替わるまでの間にのぞき見された場合、数字が確認でき、のぞき見を完全に防げるものではなかった。のぞき見により暗証番号が他人に知られることで、各種認証端末の不正利用等の問題があり、セキュリティ面が十分でなくなる。
【課題を解決するための手段】
【０００８】
本発明は上述の課題を解決するために、暗証番号入力装置を次のように構成する。まず、暗証番号として用いることができる情報や暗証番号と無関係な情報を利用者に表示する表示部と、利用者が表示された暗証番号として用いることができる情報の中から所望のものを入力できる入力部と、利用者の動作により表示部の表示を暗証番号として用いることができる情報と暗証番号と無関係な情報とを切り替えることができる表示切替部と、これらを制御する制御部とを設ける。また、この制御部には、利用者の表示切替部への動作の有無により表示部の表示を切り替えて表示する表示手段と、その表示切替手段と、表示を切り替え暗証番号として用いることができる情報が表示されるたびにその情報の配置を変える配置変更手段と、暗証番号と無関係な情報が表示されている状態で入力部への入力を可能とする入力手段とを設ける。
【０００９】
さらに、暗証番号入力方法に関しては、表示部に暗証番号として用いることができる情報を表示させる工程と、暗証番号に用いる数字の配置を確認する工程と、暗証番号と無関係な情報を表示する工程と、その状態で暗証番号を入力する工程とを含むように構成する。
【発明の効果】
【００１０】
本発明では、表示切替部への動作の有無で表示が切り替わり、表示を切り替え暗証番号として用いることができる情報が表示されるたびにその情報の配置を変え、暗証番号と無関係な情報が表示されている状態で入力操作を行うことにより、のぞき見をされても他人に暗証番号を知られない暗証番号入力装置を提供できる。
【図面の簡単な説明】
【００１１】
【図１】本発明の構成を示すブロック図。
【図２】本発明の第一の実施の形態における暗証番号入力装置の例を示す図。
【図３】図２に示した暗証番号入力装置の表示切替部への操作の例を示した図。
【図４】図２に示した暗証番号入力装置の入力部への入力操作の例を示した図。
【図５】図３に示した表示部の表示の別例を示す図。
【図６】図４に示した表示部の表示の別例１を示す図。
【図７】図４に示した表示部の表示の別例２を示す図。
【図８】図４に示した表示部の表示の別例３を示す図。
【図９】本発明の動作を示すフローチャート。
【図１０】本発明の第２の実施の形態における暗証番号入力装置の例を示す図。
【図１１】本発明の第３の実施の形態における暗証番号入力装置の例を示す図。
【発明を実施するための形態】
【００１２】
以下、本発明の実施の形態について図面を参照しながら詳細に説明する。
図１は本発明の構成を示すブロック図である。同図において、１は暗証番号入力装置を示し、２は制御部、３は表示部、４は表示切替部、５は入力部を示す。制御部２は暗証番号入力装置１を制御するものであり、表示部３、表示切替部４、入力部５に接続され、同様に制御する。表示部３は利用者に対して、暗証番号として用いることができる情報を表示したり暗証番号と無関係な情報を表示したりするものである。表示切替部４は利用者の動作により表示部３の表示を切り替えるものである。入力部５は入力手段として機能し、利用者が操作し暗証番号等必要な情報を入力するためのものである。
【００１３】
次に、図２は本発明の第１の実施の形態における暗証番号入力装置の例を示す図である。図２において、３は表示部であり、４は表示切替部であり、５は入力部である。同図において、表示部３と入力部５は積層された構成となっている。例として、表示部３に液晶、表示切替部４に近接センサ、入力部５にタッチスイッチを用いた場合を説明する。表示部３の液晶は利用者に対し、暗証番号として用いることができる情報を表示したり、暗証番号と無関係な情報を表示したりするものである。表示切替部４の近接センサは、利用者の動作により表示部３の液晶の表示を切り替えるものである。入力部５のタッチスイッチは、液晶の上に重ねられた透明なタッチスイッチであり、利用者が操作し暗証番号に必要な情報を入力するためのものである。
【００１４】
本発明ではまず、暗証番号と無関係な情報を表示、例えば表示部３の液晶を無表示にし、利用者の操作を待つ。利用者が表示切替部４の近接センサへ操作を行うと、例えば図３のように近接センサへ指６の接近があった場合、暗証番号として用いることができる数字などの情報、例として、図４に示すような一般的なテンキーの情報を表示部３の液晶に表示する。暗証番号として用いることができる情報が表示されている間、利用者は暗証番号の入力に用いる番号の配置を確認する。表示切替部４の近接センサへ指６が接近している間は情報を表示しておき、利用者が番号の配置の確認をできるようにしておく。利用者が表示切替部４の近接センサから指６を離すと、表示部３の液晶は暗証番号と無関係な情報を表示、例えば液晶に表示させる数字を無表示とする。その後、利用者による表示切替部４の近接センサへの操作が無い場合、利用者は図４のように表示部３の液晶の表示が消えた状態で暗証番号の入力操作を行い、暗証番号の認証処理が行われる。暗証番号が入力されるまでの間に利用者による表示切替部４の近接センサへの操作があった場合、図５のように暗証番号として用いることができる数字等の情報を表示部３の液晶に以前の配置と変更して表示をする。暗証番号として用いることができる情報は、利用者によって表示切替部４の近接センサへの操作が故意に行われるたびに配置を変更して表示する。
【００１５】
図４において、入力操作を行う際に表示部３の液晶の表示が消えた状態での入力の例を示したが、入力操作を行う際には暗証番号と無関係な情報が表示されていれば良い。そのため、図６のように、入力時には一種類のみの数字が表示部３に表示されていてもよい。また、図７のように入力時に無意味な記号が表示部３に表示されていたり、図８のように入力時に、表示部３に液晶を利用して背景に画像等を表示したりしていてもよい。これまでの説明のように液晶を表示部３に利用したり背景に画像等を表示したりする場合、利用者が入力操作をすることができる場所を示すための表示、例えば四角い枠などを加えると、利用者にわかりやすい。この四角い枠は、表示部３が暗証番号と無関係な情報を表示するとき、表示されていても、表示されていなくても良い。
【００１６】
以上の説明では、表示部３に液晶を、表示切替部４に近接センサを、入力部５にタッチスイッチを用いた例で説明した。表示部３は液晶や７セグ、ＬＥＤなどを用いてもよい。表示切替部４は光センサ、赤外線センサなどの近接センサやタッチスイッチ、メカスイッチ、イメージセンサ、モーションセンサなどを用いてもよい。入力部５はタッチスイッチやタッチパネルなどを用いてもよい。また、表示切替部４の動作は、指６を接近させている間暗証番号として用いることができる情報を表示部３に表示し指を離したら暗証番号と無関係な情報を表示するようにしたり、トグル動作のようにスイッチがオンとなっている間暗証番号として用いることができる情報を表示しスイッチがオフとなっている間暗証番号と無関係な情報を表示するようにしたり、特定の操作を行い暗証番号として用いることができる情報を表示した後、一定時間経過後、例えば５秒間経つと暗証番号と無関係な情報を表示するようにしたりしてもよい。また、表示切替部４で装置が利用者の接近・離隔を感知、例えば人が近づいたことなどを感知し、その感知により暗証番号として用いることができる情報を表示部３に表示し、一定時間経過後、例えば５秒間経つと暗証番号と無関係な情報を表示するようにしたり、イメージセンサを用いた画像処理技術などにより、装置に近づいた人の顔認証を行い、事前に承認された個人と特定されると暗証場号として用いることができる情報を表示部３に表示させるようにしたり、モーションセンサを利用し、装置が利用者の装置前での特定の動きを感知、例えば利用者が装置前で手を右から左へ動かすことを感知し、暗証番号として用いることができる情報を表示部３に表示させるようにしたりしてもよい。その際に、利用者の操作により表示部３の表示を切り替える動作と組み合わせてもよい。
【００１７】
続いて、本発明の動作について図９のフローチャートを用いて説明する。図９において、Ｓ１〜Ｓ１０はフローチャートの各ステップを示す。まずＳ１で、暗証番号入力装置は待機状態となり、暗証番号とは無関係な情報を表示する。Ｓ２で表示切替部４への動作があるかどうかを確認し、操作があるまでは待機状態であるＳ１を続ける。表示切替部４へ動作があった場合、Ｓ３で、表示部３は暗証番号として用いることができる情報を表示する。Ｓ４で、利用者は入力する暗証番号の配置を確認する。Ｓ５の表示切替部４への動作では、暗証番号として用いることができる情報を表示させるような動作が継続されている場合、Ｓ４の状態を保ち、そのような動作がない場合、Ｓ６で表示部３は暗証番号と無関係な情報を表示する。Ｓ７で、表示切替部４への動作が無い場合、Ｓ８で利用者は入力部５を用いて暗証番号を入力する。その後、Ｓ９で暗証番号認証処理が行われる。Ｓ７で表示切替部４へ動作が行われた場合、Ｓ１０で表示部３は、暗証番号として用いることができる情報を以前と配置を変えて表示させる。その後、Ｓ４の処理へと戻る。
【００１８】
以上の説明から明らかなように、利用者が暗証番号を入力する際には暗証番号と無関係な情報が表示されており、入力時にのぞき見されても番号を確認することができず、暗証番号を他人に知られることがない。また、のぞき見により入力位置を覚えられても、表示切替部へ動作が行われるたびに、暗証番号として用いることができる情報が、配置が変更されて表示されるので正しい暗証番号が他人に知られることがない。したがって、のぞき見により他人に暗証番号を知られることもなく、暗証番号の入力のセキュリティ性を向上させることができる。
【００１９】
以下、本発明の実施の形態の変形例を説明する。図１０は本発明の第２の実施の形態における暗証番号入力装置の例を示す図である。図１０において、表示部３は液晶や７セグ、ＬＥＤなどを用いてもよい。表示部３に重ねられて構成される入力部５はタッチスイッチやタッチパネルなどを用いてもよい。表示切替部にはＲＦＩＤシステムを用いており、ＲＦＩＤ部７で構成されている。基本的な動作に関しては第１の実施の形態と同様であり、図９に示したフローチャートと同様である。この時の表示切替部であるＲＦＩＤ部７の操作は、ＲＦＩＤのカードをかざしているときに暗証番号として用いることができる情報を表示し、カードを離すと暗証番号と無関係な情報を表示するようにしたり、一度カードをかざすと暗証番号として用いることができる情報を表示し、一定時間経過後、例えば５秒間経つと暗証番号と無関係な情報を表示したりするようにしてもよい。
【００２０】
図１１は本発明の第３の実施の形態における暗証番号入力装置の例を示す図である。図１１において、表示部３は液晶や７セグ、ＬＥＤなどを用いてもよい。表示切替部４は光センサ、赤外線センサなどの近接センサやタッチスイッチ、メカスイッチ、イメージセンサ、モーションセンサなどを用いてもよい。入力部５はタッチスイッチやタッチパネル、メカスイッチなどを用いてもよい。基本的な動作に関しては第１の実施の形態と同様であり、図９に示したフローチャートと同様である。図１１において、表示部３と入力部５の位置が離れており、表示に対応する入力位置をわかりやすくするため、左上の表示は左上のスイッチに対応させる、のようにすると利用者にもわかりやすい。
【００２１】
以上、本発明について詳細を説明した。本発明は暗証番号を用いて本人確認を行うすべての電子機器に適用可能である。また、本発明は上記で説明した実施の形態に限定されず、種々の変形、構成の組み合わせが可能である。
【符号の説明】
【００２２】
１：暗証番号入力装置
２：制御部
３：表示部
４：表示切替部
５：入力部
６：指
７：ＲＦＩＤ部
【図１】
2018165971.tif 000003
【図２】
2018165971.tif 000004
【図３】
2018165971.tif 000005
【図４】
2018165971.tif 000006
【図５】
2018165971.tif 000007
【図６】
2018165971.tif 000008
【図７】
2018165971.tif 000009
【図８】
2018165971.tif 000010
【図９】
2018165971.tif 000011
【図１０】
2018165971.tif 000012
【図１１】
2018165971.tif 000013